(57)【要約】【課題】複数枚用いることにより屈曲して連なる小さい面が点在する立体物を組み立てることができる組立て用シート等を提供する。【解決手段】組立て用シート（１，１０）は、正方形状のシート本体（２）と、前記シート本体の片面（２Ａ）に対辺の中点どうしを直線で結ぶよう設けられた片面切り込み溝（３）と、前記シート本体の他面（２Ｂ）に対角線に沿って設けられた他面切り込み溝（４）とで構成されるシートであり、立体物（１０１，１１０など）を組み立てるときの単一の部品として使用される。【選択図】図１
2015053974.tif 000002
【特許請求の範囲】
【請求項１】
正方形状のシート本体と、前記シート本体の片面に対辺の中点どうしを直線で結ぶよう設けられた片面切り込み溝と、前記シート本体の他面に対角線に沿って設けられた他面切り込み溝とで構成されるシートであり、
立体物を組み立てるときの単一の部品として使用されることを特徴とする組立て用シート。
【請求項２】
前記シート本体の各辺に、その各辺の３／４の長さの地点から最初の他面切り込み溝に達する垂線状の切れ目が設けられている請求項１に記載の組立て用シート。
【請求項３】
前記シート本体の辺及び角部の一方又は双方に、その辺及び角部の一部を切り取った切断加工部が設けられている請求項１に記載の組立て用シート。
【請求項４】
前記シート本体の辺及び角部の一方又は双方に、その辺及び角部の一部を切り取った切断加工部が設けられている請求項２に記載の組立て用シート。
【請求項５】
請求項１又は３に記載の組立て用シートを、同一の寸法で構成した複数枚の組立て用シートとして備えていることを特徴とする立体物組立て用キット。
【請求項６】
請求項２又は４に記載の組立て用シートを、同一の寸法で構成した複数枚の組立て用シートとして備えていることを特徴とする立体物組立て用キット。
【請求項７】
請求項１又は３に記載の組立て用シートを同一の寸法で構成した複数枚の組立て用シートとし、その各組立てシートの一部分を互いに接合させて立体形状に組み立ててなることを特徴とする立体物。
【請求項８】
請求項２又は４に記載の組立て用シートを同一の寸法で構成した複数枚の組立て用シートとし、その各組立てシートにおける前記切れ目の少なくとも２つを互いに挿し込んで連結させて立体形状に組み立ててなることを特徴とする立体物。
【請求項９】
前記複数枚の組立て用シートのすべてを前記シート本体の片面が立体形状の表側に向く状態にして組み立ててなる請求項７に記載の立体物。
【請求項１０】
前記複数枚の組立て用シートのすべてを前記シート本体の他面が立体形状の表側に向く状態にして組み立ててなる請求項７に記載の立体物。
【請求項１１】
前記複数枚の組立て用シートのすべてを前記シート本体の片面が立体形状の表側に向く状態にして組み立ててなる請求項８に記載の立体物。
【請求項１２】
前記複数枚の組立て用シートのすべてを前記シート本体の他面が立体形状の表側に向く状態にして組み立ててなる請求項８に記載の立体物。
【発明の詳細な説明】
【技術分野】
【０００１】
この発明は、組立て用シート並びにその組立て用シートで構成される立体物組立て用キット及び立体物に関するものである。
【背景技術】
【０００２】
従来、複数の係合爪部を備えたシートを複数枚、その係合爪部同士を連結させてなる複数の連結部により中空体を構成するように結合された中空構造体や、その中空構造体からなる照明用シェードや、その中空体構造物を製造するための上記シートを複数備えてなる中空構造体組み立てキットが知られている（特許文献１）。特許文献１には、例えば、上記複数枚のシートが全て同一形状であることが好ましいことなどが示されている。
【先行技術文献】
【特許文献】
【０００３】
【特許文献１】特開２００７−３０５４６２号公報
【発明の概要】
【発明が解決しようとする課題】
【０００４】
この発明は、複数枚用いることにより屈曲して連なる小さい面が点在する立体物を組み立てることができる組立て用シートを提供するとともに、その組立て用シートで容易に構成される立体物組立て用キット及び立体物を提供するものである。
【課題を解決するための手段】
【０００５】
この発明（Ａ１）の組立て用シートは、正方形状のシート本体と、前記シート本体の片面に対辺の中点どうしを直線で結ぶよう設けられた片面切り込み溝と、前記シート本体の他面に対角線に沿って設けられた他面切り込み溝とで構成されるシートであり、立体物を組み立てるときの単一の部品として使用されることを特徴とするものである。
【０００６】
この発明（Ａ２）の組立て用シートは、上記発明Ａ１の組立て用シートにおいて、前記シート本体の各辺に、その各辺の３／４の長さの地点から最初の他面切り込み溝に達する垂線状の切れ目が設けられているものである。
【０００７】
この発明（Ａ３）の組立て用シートは、上記発明Ａ１の組立て用シートにおいて、前記シート本体の辺及び角部の一方又は双方に、その辺及び角部の一部を切り取った切断加工部が設けられているものである。また、この発明（Ａ４）の組立て用シートは、上記発明Ａ２の組立て用シートにおいて、前記シート本体の辺及び角部の一方又は双方に、その辺及び角部の一部を切り取った切断加工部が設けられているものである。
【０００８】
また、この発明（Ｂ１）の立体物組立て用キットは、上記発明Ａ１又はＡ３の組立て用シートを、同一の寸法で構成した複数枚の組立て用シートとして備えていることを特徴とするものである。
【０００９】
この発明（Ｂ２）の立体物組立て用キットは、上記発明Ａ２又はＡ４の組立て用シートを、同一の寸法で構成した複数枚の組立て用シートとして備えていることを特徴とするものである。
【００１０】
さらに、この発明（Ｃ１）の立体物は、上記発明Ａ１又はＡ３の組立て用シートを同一の寸法で構成した複数枚の組立て用シートとし、その各組立てシートの一部分を互いに接合させて立体形状に組み立ててなることを特徴とするものである。
【００１１】
この発明（Ｃ２）の立体物は、上記発明Ａ２又はＡ４の組立て用シートを同一の寸法で構成した複数枚の組立て用シートとし、その各組立て用シートにおける前記切れ目の少なくとも２つを互いに挿し込んで連結させて立体形状に組み立ててなることを特徴とするものである。
【００１２】
この発明（Ｃ３）の立体物は、上記発明Ｃ１の立体物において、前記複数枚の組立て用シートのすべてを前記シート本体の片面が立体形状の表側に向く状態にして組み立ててなるものである。
【００１３】
この発明（Ｃ４）の立体物は、上記発明Ｃ１の立体物において、前記複数枚の組立て用シートのすべてを前記シート本体の他面が立体形状の表側に向く状態にして組み立ててなるものである。
【００１４】
この発明（Ｃ５）の立体物は、上記発明Ｃ２の立体物において、前記複数枚の組立て用シートのすべてを前記シート本体の片面が立体形状の表側に向く状態にして組み立ててなるものである。
【００１５】
この発明（Ｃ６）の立体物は、上記発明Ｃ２の立体物において、前記複数枚の組立て用シートのすべてを前記シート本体の他面が立体形状の表側に向く状態にして組み立ててなるものである。
【発明の効果】
【００１６】
上記発明Ａ１の立体物組立て用の組立て用シートによれば、１枚の組立て用シートのシート本体が片面切り込み溝と他面切り込み溝をきっかけに屈曲して細分化された面を有する状態に変形しやすいので、そのような組立て用シートを複数枚用いることにより屈曲して連なる小さい面が点在する立体物を組み立てることができる。
【００１７】
上記発明Ａ２の組立て用シートによれば、その複数枚の組立て用シートどうしをその切れ目を挿し込んで連結することが可能になるので、屈曲して連なる小さい面が点在する立体物を容易且つ分解可能に組み立てることができる。
【００１８】
上記発明Ａ３及びＡ４の組立て用シートによれば、屈曲して連なる小さい面が点在する立体物を、組立て用シートにおける切断加工部の外形線により生じる外観や切断加工部の存在に起因して形成される隙間により生じる外観を新たに付加した状態で、組み立てることができる。
【００１９】
上記発明（Ｂ１）の立体物組立て用キットによれば、そのキットに備えられた複数枚の組立て用シートの一部分を互いに接合させて組み立て作業を行うことにより、屈曲して連なる小さい面が点在する立体物を任意に組み立てることができる。
【００２０】
上記発明（Ｂ２）の立体物組立て用キットによれば、そのキットに備えられた複数枚の組立て用シートにおける切れ目の少なくとも２つを互いに挿し込んで連結させて組み立て作業を行うことにより、屈曲して連なる小さい面が点在する立体物を任意に組み立てることができる。
【００２１】
上記発明Ｃ１の立体物によれば、１枚の組立て用シートのシート本体を片面切り込み溝と他面切り込み溝をきっかけに屈曲させて細分化された面を有する状態に変形させることができるので、屈曲して連なる小さい面が点在する立体物として得られる。
【００２２】
上記発明Ｃ２の立体物によれば、１枚の組立て用シートのシート本体を片面切り込み溝と他面切り込み溝をきっかけに屈曲させて細分化された面を有する状態に変形させることができるので、屈曲して連なる小さい面が点在する立体物として得られる。また、この発明Ｃ２の立体物は、切れ目の挿し込みを外すことで容易に分解することができる。
【００２３】
上記発明Ｃ３及びＣ５の立体物によれば、屈曲して連なる小さい面が点在する立体物として、比較的緩やかな曲面の外観を有する球状、紡錘状、筒状、環状、螺旋状等の立体形状からなる立体物にすることが容易にできる。
【００２４】
上記発明Ｃ４及びＣ６の立体物によれば、屈曲して連なる小さい面が点在する立体物として、直線状に延びる角部のある外観を有する角柱状、箱状等の立体形状からなる立体物にすることが容易にできる。
【図面の簡単な説明】
【００２５】
【図１】実施の形態１（２）に係る組立て用シートの基本構成を示し、（ａ）はその組立て用シートの一方の面（片面）側から見たときの構成を示す平面図、（ｂ）はその組立て用シートの他方の面（他面）側から見たときの構成を示す平面図である。
【図２】（ａ）は図１ａの組立て用シートのＱ−Ｑ線に沿う断面図、（ｂ）は図１ｂの組立て用シートのＱ−Ｑ線に沿う断面図である。
【図３】図１の組立て用シートに切断加工部を設けた場合の構成例（片面側から見たときの状態）を示す平面図である。
【図４】組立て用シートが屈曲して変形するときの状態例（片面側から見たときの状態）を示す斜視図である。
【図５】組立て用シートが屈曲して変形するときの状態例（他面側から見たときの状態）を示す斜視図である。
【図６】図１（図３）の組立て用シートを複数用いてシート本体の片面が表側に向く状態にして立体物を組み立てる際に、その各組立て用シートの一部分を接合するときの構成例を示す平面説明図である。
【図７】図１（図３）の組立て用シートを複数用いてシート本体の他面が表側に向く状態にして立体物を組み立てる際に、その各組立て用シートの一部分を接合するときの構成例を示す斜視説明図である。
【図８】実施の形態１に係る組立て用シートを用いて組み立てた球状の立体物の一例を示す斜視図である。
【図９】実施の形態１に係る組立て用シートを用いて組み立てた最小の球状の立体物の一例を示す斜視図である。
【図１０】実施の形態１に係る組立て用シートを用いて組み立てた四角柱状の立体物の一例を示す斜視図である。
【図１１】実施の形態１に係る組立て用シートを用いて組み立てた三角柱状の立体物の一例を示す斜視図である。
【図１２】実施の形態２に係る組立て用シートの基本構成を示し、（ａ）はその組立て用シートの片面側から見たときの構成を示す平面図、（ｂ）はその組立て用シートの他面側から見たときの構成を示す平面図である。
【図１３】図１２の組立て用シートに切断加工部を設けた場合の構成例（片面側から見たときの状態）を示す平面図である。
【図１４】図１２（図１３）の組立て用シートを複数用いてシート本体の片面が表側に向く状態にして立体物を組み立てる際に、その各組立て用シートにおける切り目を挿し込んで連結させるときの構成例を示す平面説明図である。
【図１５】実施の形態２に係る組立て用シートを用いて組み立てた球状の立体物の一例を示す斜視図である。
【図１６】球状の立体物を組み立てるときの組立て例（要部のみ）を示し、（ａ）はその組立てに使用する円環状の立体物の一例を示す斜視図、（ｂ）はその組立てに使用するアーチ状の立体物とそれを（ａ）の円環状の立体物に取り付けた状態例を示す斜視図である。
【図１７】実施の形態２に係る組立て用シートを用いて組み立てた筒状の立体物の一例を示す斜視図である。
【図１８】実施の形態２に係る組立て用シートを用いて組み立てた四角形環状の立体物の一例を示す斜視図である。
【発明を実施するための形態】
【００２６】
以下、この発明を実施するための形態（以下、単に「実施の形態」という）について添付の図面を参照しながら説明する。
【００２７】
［実施の形態１］
図１及び図２は、実施の形態１に係る立体物の組立て用シートの基本構成を示すものである。図１ａはその組立て用シートを一方の面（片面）側から見たときの状態を示し、図１ｂはその組立て用シートの他方の面（他面）側から見たときの状態を示している。図２ａは図１ａの組立て用シートのＱ−Ｑ線に沿う断面状態を示し、図２ｂは図１ｂの組立て用シートのＱ−Ｑ線に沿う断面状態を示している。
【００２８】
＜組立て用シート＞
実施の形態１に係る組立て用シート１は、図１や図２に示すように、原則として、正方形状のシート本体２と、そのシート本体２の片面２Ａに対辺（対向する辺）の中点（ｐ１〜ｐ４）どうしをそれぞれ直線で結ぶよう設けられた片面切り込み溝３と、そのシート本体２の他面２Ｂに対角線（対角点どうしを結ぶ直線）に沿って設けられた他面切り込み溝４とで構成されるシートであり、後述するような立体物を組み立てるときの単一の部品として使用されるものである。
【００２９】
シート本体２は、その全体が原則として正方形状からなるものであり、その大きさ（一辺の長さ。面積）については例えば組み立てる立体物の大きさ等の条件に対応させて適宜設定される。このシート本体２は、切り込み溝３，４を設けてもその溝をきっかけにして切断されない程度の厚みｄと、シートの平面形状が保持される形状保持力（剛性）とを少なくとも有するシート材であればよい。実施の形態１では、このシート本体２として、例えば硬質塩ビ低発泡板（タキロン社製：タキロン、厚さ１ｍｍなど）のシート材を使用している。
【００３０】
片面切り込み溝３は、図１ａに示すように、片面２Ａにおける一方の対辺２１，２３の中点ｐ１、ｐ３どうしを結ぶ第１切り込み溝３ａと片面２Ａにおける他方の対辺２２，２４の中点ｐ２、ｐ４どうしを結ぶ第２切り込み溝３ｂという２本の切り込み溝３ａ，３ｂで構成されている。この２本の切り込み溝３ａ，３ｂは、その各中間点である交点３ｃにおいてほぼ直交しており、全体として十字状の線模様をなすように存在している。また、この片面切り込み溝３は、図２ａに示すように、シート本体２の片面２Ａから他面２Ｂに向けてシート本体２の厚さｄの途中の位置まで切り込まれた状態で形成される溝である。この切り込み溝３の深さについては、少なくともシート本体２の厚さｄよりも小さい値であって他面切り込み溝４と接触しない程度の値であることが好ましい。また、切り込み溝３の溝方向と直交する方向の断面形状については、特に限定されるものでなく、例えば単なる線形状や、Ｖ字の形状とすればよい。
【００３１】
一方、他面切り込み溝４は、図１ｂに示すように、他面２Ｂにおける一方の対角点ｅ１，ｅ３どうしを結ぶ対角線に沿う第１切り込み溝４ａと他面２Ｂにおける他方の対角点ｅ２，ｅ４どうしを結ぶ対角線に沿う第２切り込み溝４ｂという２本の切り込み溝４ａ，４ｂで構成されている。この２本の切り込み溝４ａ，４ｂは、その各中間点である交点４ｃにおいてほぼ直交しており、全体として十字状の線模様をなすように存在している。また、この他面切り込み溝４は、図２ｂに示すように、シート本体２の他面２Ｂから片面２Ａに向けて切り込まれる状態で形成される溝である。この切り込み溝４の深さについては、片面切り込み溝３の場合と同様に、少なくともシート部材２の厚さｄよりも小さい値であって片面切り込み溝３と接触しない程度の値であることが好ましい。また、切り込み溝４の溝方向と直交する方向の断面形状についても、特に限定されるものでなく、片面切り込み溝３の場合と同様に、例えば単なる線形状や、Ｖ字の形状とすればよい。
【００３２】
この組立て用シート１は、図３に例示するように、必要に応じてシート本体２の辺（２１〜２４）及び角部の一方又は双方に、その辺及び角部の一部を切り取った切断加工部６が設けてもよい。図３に示す組立て用シート１では、４つの辺２１〜２４に２つの切断加工部６Ａをそれぞれ設けている。詳しくは、この切断加工部６Ａは、各辺における１／４の長さ地点と３／４の長さ地点をそれぞれ中心にしてシート本体２の内側に湾曲する曲線で切り取った加工部分である。この切断加工部６の加工内容（切断する形状や寸法など）については、例えば組み立てる立体物において付与したい外観内容に応じて適宜選定される。
【００３３】
このような構成からなる組立て用シート１は、図４や図５に例示するように、１枚の組立て用シート１においてシート本体２が、片面切り込み溝３と他面切り込み溝４をきっかけに屈曲して細分化された複数の面（２Ａａ〜２Ａｈ／２Ｂａ〜２Ｂｈ）を有する状態に変形させやすいという特性を有する。この場合、この屈曲により細分化されて得られる複数の面は、その各面の平面形状がそれぞれ保持される。また、この片面切り込み溝３と他面切り込み溝４の双方をきっかけに屈曲しやすのは、前述した片面切り込み溝３の交点３ｃと他面切り込み溝４の交点４ｃとがシート本体２において同じ位置に存在していることも寄与している（図３参照）。なお、図４及び図５に例示する組立て用シート１には、図３に例示した各辺に切断加工部６を設けたタイプの組立て用シート１を採用している。
【００３４】
図４に示す組立て用シート１は、シート本体の片面２Ａを上方に向けた状態（表の面）にした場合の一例を示すものであり、その片面２Ａが片面切り込み溝３を境（折り曲げ線）にして両側に下るように屈曲した面として分割され、その分割と表裏一体となって他面切り込み溝４を境（折り曲げ線）４０にして両側に持ち上がるように屈曲する面として分割される。
具体的には、片面２Ａは、第１片面切り込み溝３ａを境にして山形状に屈曲した面２Ａａ，２Ａｂと面２Ａｅ，２Ａｆにそれぞれ分割されるとともに、第２片面切り込み溝３ｂを境にして山形状に屈曲した面２Ａｃ，２Ａｄと面２Ａｇ，２Ａｈにそれぞれ分割される。また、このときの片面２Ａは同時に、第１他面切り込み溝４ａを境（折り曲げ線）４０にして谷状に屈曲した面２Ａａ，２Ａｈと面２Ａｄ，２Ａｅにそれぞれ分割されているとともに、第２他面切り込み溝４ｂを境（折り曲げ線）４０にして谷形状に屈曲した面２Ａｂ，２Ａｃと面２Ａｆ，２Ａｇにそれぞれ分割されていることにもなる。
【００３５】
図５に示す組立て用シート１は、シート本体の他面２Ｂを上方に向けた状態（表の面）にした場合の一例を示すものであり、その他面２Ｂが他面切り込み溝４を境（折り曲げ線）にして両側に下るように屈曲した面として分割され、その分割と表裏一体となって片面切り込み溝３を境（折り曲げ線）３０にして両側に持ち上がるように屈曲する面として分割される。
具体的には、他面２Ｂは、第１他面切り込み溝４ａを境にして山形状に屈曲した面２Ｂａ，２Ｂｈと面２Ｂｄ，２Ｂｅにそれぞれ分割されるとともに、第２他面切り込み溝４ｂを境にして山形状に屈曲した面２Ｂｂ，２Ｂｃと面２Ｂｆ，２Ｂｇにそれぞれ分割される。また、このときの他面２Ｂは同時に、第１片面切り込み溝３ａを境（折り曲げ線）３０にして谷状に屈曲した面２Ｂａ，２Ｂｂと面２Ｂｅ，２Ｂｆにそれぞれ分割されているとともに、第２片面切り込み溝３ｂを境（折り曲げ線）３０にして谷形状に屈曲した面２Ｂｃ，２Ｂｄと面２Ｂｇ，２Ｂｈにそれぞれ分割されていることにもなる。
【００３６】
そして、この組立て用シート１は、立体物を組み立てるときには、その立体物の組み立てに必要となる複数枚の組立て用シート１を使用（用意）し、図６や図７に例示するように、その各組立て用シート１の一部分（片面全域に対する一部）を互いに接合させた状態を組み合わせることにより立体形状の組み立てを行うことになる。
【００３７】
ここで、立体物を組み立てるために用いる複数枚の組立て用シート１は、組み立て作業がしやすくなる等の観点から、そのすべてが互いに同じ寸法で構成されたものにすることが好ましい。なお、図６及び図７に例示する組立て用シート１には、図３に例示した各辺に切断加工部６を設けたタイプの組立て用シート１を採用している。
【００３８】
図６に示す例は、２枚の組立て用シート１（１Ａ，１Ｂ）をそのシート本体の片面２Ａが表側になる状態で接合する場合の一例である、この例では、第１の組立て用シート１Ａの他面切り込み溝４を境（折り曲げ線）４０にして谷形状に屈曲した面２Ａａ，２Ａｈの角部側の一部分の上に、第２の組立て用シート１Ｂの他面切り込み溝４を境（折り曲げ線）４０にして谷形状に屈曲した面２Ａａ，２Ａｈの角部側の一部分を重ねることで接合している。この例においては、第１の組立て用シート１Ａの谷形状に屈曲した面２Ａａ，２Ａｈの全域上に、第２の組立て用シート１Ｂの谷形状に屈曲した面２Ａａ，２Ａｈの全域を重ねた状態で接合するようにしてもよい。
【００３９】
このように複数枚の組立て用シート１をそのシート本体の片面２Ａが表側になる状態で接合して立体物を組み立てる場合には、その接合した複数枚の組立て用シート１のシート本体２を片面切り込み溝３に沿って例えば直角や鋭角に裏側（内側）に折り曲げることも可能である。しかし、この場合には、むしろ強制的には折り曲げない状態又は鈍角に折り曲げた状態で接合を繰り返すようにしたときには、表側に突出する角張った外観部分が少ないタイプの立体物を組み立てやすいという特性がある。
【００４０】
図７に示す例は、２枚の組立て用シート１（１Ａ〜１Ｂ）をそのシート本体の他面２Ｂが表側になる状態で接合する場合の一例である、この例では、第１の組立て用シート１Ａの他面切り込み溝４を境（折り曲げ線）４０にして山形状に屈曲した面２Ｂｄ，２Ｂｅのほぼ全域の上に、第２の組立て用シート１Ｂの他面切り込み溝４を境（折り曲げ線）４０にして山形状に屈曲した面２Ｂａ，２Ｂｈの全域を重ねて接合している。この例においては、第１の組立て用シート１Ａの山形状に屈曲した面２Ｂｄ，２Ｂｅの一部分の上に、第２の組立て用シート１Ｂの山形状に屈曲した面２Ｂａ，２Ｂｈの一部分を重ねた状態で接合するようにしてもよい。
【００４１】
このように複数枚の組立て用シート１をそのシート本体の他面２Ｂが表側になる状態で接合して立体物を組み立てる場合には、その接合した複数枚の組立て用シート１のシート本体２を片面切り込み溝３に沿って例えば裏側に所要の角度で折り曲げることも可能である。しかし、この場合には、シート本体２を他面切り込み溝４（この例では特に第２の切り込み溝４ｂ）に沿って直角又は鋭角に折り曲げた状態の部分を作るようにしたときには、表側に突出し且つ対角線に沿って幅の広い角張った外観部分が存在するタイプの立体物を組み立てやすいという特性がある。
【００４２】
また、上述したように複数枚の組立て用シート１を用い、その各組立て用シート１の一部分を互いに接合させて立体形状の組み立てを行う場合、その接合については、接着剤の塗布による接合、粘着テープを利用した接合等の接合手段を適用して行えばよい。また、この形式の組み立てを行う場合、各組立て用シート１どうしの接合する場所や、その接合する場所の数や、その接合する部分の面積の割合、その接合する部分の互いの姿勢（向き）等については、その組み立てを行う者が任意に選定することができる。
【００４３】
＜立体物＞
そして、実施の形態１に係る組立て用シート１は、上述したように複数枚の組立て用シート１の各組立て用シート１の一部分を互いに接合させて立体物の組み立て作業を行う際に、その複数枚の組立て用シート１の接合の仕方を種々選択することにより多様な立体形状からなる立体物を組み立てることが可能である。図８から図１１は、その立体物の代表的な一例を示すものである。
【００４４】
図８は、全体がほぼ球状の立体形状からなる立体物１０１の一例を示している。この立体物１０１は、複数枚の組立て用シート１（例えば１Ａ〜１Ｊ）を、図６に例示したように各組立て用シート１（１Ａ〜１Ｊ）におけるシート本体の片面２Ａが表側（外部側）に向く状態で接合させることで組み立てられたものである。
【００４５】
すなわち、この立体物１０１は、例えば、第１の組立て用シート１Ａの他面切り込み溝４を折り目線４０として谷形状に屈曲する面の一部分を、第２の組立て用シート１Ｂと第３の組立て用シート１Ｃの同様に谷形状に屈曲する面の一部分と接合させることで連結しており、また、第３の組立て用シート１Ｃの谷形状に屈曲する面の一部分の上に、第４の組立て用シート１Ｄの他面切り込み溝４を折り目線４０として谷形状に屈曲する面の一部分を接合させることで連結している。また、この立体物１０１は、第５の組立て用シート１Ｅと第６の組立て用シート１Ｆを、第２の組立て用シート１Ｂと第３の組立て用シート１Ｃに対して、互いに他面切り込み溝４を折り目線４０として谷形状に屈曲する面の一部分どうしを接合させることで連結しているとともに、内側に隠れて存在する第７の組立て用シート１Ｇに対しても、互いに他面切り込み溝４を折り目線４０として谷形状に屈曲する面の一部分どうしを接合させることで連結している。さらに、この立体物１０１は、第８の組立て用シート１Ｈを、例えば第２の組立て用シート１Ｂに対して、互いに他面切り込み溝４を折り目線４０として谷形状に屈曲する面の一部分どうしを接合させることで連結している。さらにまた、この立体物１０１は、第９の組立て用シート１Ｊを、例えば第３の組立て用シート１Ｃに対して、互いに他面切り込み溝４を折り目線４０として谷形状に屈曲する面の一部分どうしを接合させることで連結している。なお、この立体物１０１は、図８における下方に位置する下部が、組立て用シート１で完全に塞がれておらず開口した状態になっている（図１０の立体物１０３等の下部を参照）。
【００４６】
図９は、全体が最小のほぼ球状の立体形状からなる立体物１０２の一例を示している。この立体物１０２は、４枚の組立て用シート１（例えば１Ａ〜１Ｄ）を、図６に例示したように各組立て用シート１（１Ａ〜１Ｄ）におけるシート本体の片面２Ａが表側に向く状態で接合させることで組み立てられたものである。ちなみに、図９に例示する立体物１０２は、組立て用シート１として切断加工部６（図３）を設けていないタイプの組立て用シート１（図１参照）を適用して組み立てた場合を例示している。
【００４７】
すなわち、この立体物１０２は、第２の組立て用シート１Ｂと第３の組立て用シート１Ｃを、第１の組立て用シート１Ａに対して、互いに他面切り込み溝４を折り目線４０として谷形状に屈曲する面の一部分どうしを接合させることで連結している。また、この立体物１０２は、第４の組立て用シート１Ｄを、第２の組立て用シート１Ｂと第３の組立て用シート１Ｃに対して、互いに他面切り込み溝４を折り目線４０として谷形状に屈曲する面の一部分どうしを接合させることで連結している。この４枚の組立て用シート１Ａ〜１Ｄは、その一部の辺が単に接近して整合する状態になるので、他の組立て用シートの一部分と接合することで連結していない状態になるが、例えば、粘着テープなどの接合手段にて連結すればよい。
【００４８】
図１０は、全体がほぼ四角柱状の立体形状からなる立体物１０３の一例を示している。この立体物１０３は、複数枚の組立て用シート１（例えば１Ａ〜１Ｊ）を、図７に例示したように各組立て用シート１（１Ａ〜１Ｊ）におけるシート本体の他面２Ｂが表側に向く状態で接合させることで組み立てられたものである。
【００４９】
すなわち、この立体物１０３は、例えば、第１〜第４の組立て用シート１Ａ〜１Ｄを、１本の他面切り込み溝４（対角線）を境にしてほぼ直角に山形状に屈曲させた状態にしたうえで、第５の組立てシート１Ｅの２本の他面切り込み溝４で共にほぼ直角に山形状に屈曲させた４つの面領域の一部分の上に重ねるよう接合させて連結している。また、この立体物１０３は、第６の組立て用シート１Ｆを、第１の組立て用シート１Ａに対して、互いに他面切り込み溝４を境にして山形状に屈曲する面のほぼ全域どうしを接合させることで連結しており、ほぼ同様に、第７の組立て用シート１Ｇを、第２の組立て用シート１Ｂに対して、互いに他面切り込み溝４を境にして山形状に屈曲する面のほぼ全域どうしを接合させることで連結している。さらに、この立体物１０３は、第６の組立て用シート１Ｆと第７の組立て用シート１Ｇを、第８の組立て用シート１Ｈと第９の組立て用シート１Ｊに対して、互いに他面切り込み溝４を境にして山形状に屈曲する面のほぼ全域どうしを接合させることで連結している。
【００５０】
図１０に示す立体物１０３は、その下方に位置する下部が、組立て用シート１で完全に塞がれておらず下方側から見たときにほぼ四角形状に開口した状態になっている。また、この立体物１０３の下部は、例えば第７の組立て用シート１Ｇ、第８の組立て用シート１Ｈ及び第９の組立て用シート１Ｊ等における各角部の点ｅがほぼ同一平面状に存在する関係になっており、その開口した下部が各角部の点ｅを支点（脚部）として平面上に置いた場合に自立できる立体物にもなっている。
【００５１】
図１１は、全体がほぼ三角柱状の立体形状からなる立体物１０４の一例を示している。この立体物１０４は、複数枚の組立て用シート１（例えば１Ａ〜１Ｇ）を、図７に例示したように各組立て用シート１（１Ａ〜１Ｇ）におけるシート本体の他面２Ｂが表側に向く状態で接合させることで組み立てられたものである。ちなみに、図１１に例示する立体物１０４は、組立て用シート１として切断加工部６（図３）を設けていないタイプの組立て用シート１を適用して組み立て場合を例示している。
【００５２】
すなわち、この立体物１０４は、例えば、第１の組立て用シート１Ａと第２の組立て用シート１Ｂを、１本の他面切り込み溝４を境にして鋭角状（約６０°）に山形状に屈曲させた第３の組立て用シート１Ｃと第４の組立て用シート１Ｄに対して、互いに他面切り込み溝４を境にして山形状に屈曲する面のほぼ全域どうしを接合させることで連結している。これにより、立体物１０４の三角柱の下部を形成している（実際には、図１０４において裏側に隠れている不図示の部分も、別の２枚の組立て用シートを用いて第２の組立て用シート１Ｂと第４の組立て用シート１Ｄに対して互いに連結している）。また、この立体物１０４は、第５〜第７の組立て用シート１Ｅ〜１Ｇを、１本の他面切り込み溝４（対角線）を境にしてほぼ直角に山形状に屈曲させた状態にしたうえで、第１の組立て用シート１Ａ、第２の組立てシート１Ｂ及び不図示の組立て用シートに対して、互いに他面切り込み溝４を境にして山形状に屈曲する面のほぼ全域どうしを接合させることで連結している。これにより、立体物１０４の三角柱の上部を形成している。なお、第５〜第７の組立て用シート１Ｅ〜１Ｇの上方に屈曲して位置する三角形状の面部は、互いに重なって蓋をするように存在する。この３つの三角形状の面部は、例えば、接着剤や粘着テープにより互いを接合することができる。
【００５３】
また、図１１に示す立体物１０４は、その下方に位置する下部が、組立て用シート１で完全に塞がれておらず下方側から見たときにほぼ三角形状に開口した状態になっている。また、この立体物１０４の下部は、例えば第１〜第４の組立て用シート１Ａ〜１Ｄと図示しない残り２枚の組立て用シート１における各角部の点ｅがほぼ同一平面状に存在する関係になっており、その開口した下部が各角部の点ｅを支点（脚部）として平面上に置いた場合に自立できる立体物にもなっている。
【００５４】
以上例示したように、実施の形態１に係る複数枚の組立て用シート１を用いて、その各組立て用シート１の一部分を互いに接合させることにより立体物の組み立て作業を行った場合には、前述したように１枚の組立て用シート１のシート本体２を片面切り込み溝３と他面切り込み溝４をきっかけにして屈曲させて細分化された面（２Ａａ〜２Ａｈ）を有する状態に変形させることができるので（図４参照）、屈曲して連なる小さい面（２Ａａ〜２Ａｈ：図４参照）が多数点在する立体物（例えば前掲の立体物１０１〜１０４）を得ることができる。また、この立体物は、複数枚の組立て用シート１がある程度規則性を持って整然と配置されるので独特な美観が得られるものになる。
【００５５】
また、図８や図９に例示したように、実施の形態１に係る複数枚の組立て用シート１のすべてをシート本体の片面２Ａが立体形状の表側（外部側）に向く状態にして組み立て作業を行った場合は、上述した屈曲して連なる小さい面が多数点在する立体物として、面球状の比較的緩やかな曲面の外観を有する立体形状からなる立体物にすることが容易にできる。また、このような状態で組み立て作業を行った場合は、球状の立体形状からなる立体物の他にも、例えば紡錘状、筒状、環状、螺旋状等のように比較的緩やかな曲面の外観を有する立体形状からなる立体物にすることも容易にできる。
【００５６】
さらに、図１０や図１１に例示したように、実施の形態１に係る複数枚の組立て用シート１のすべてをシート本体の他面２Ｂが立体形状の表側に向く状態にして組み立て作業を行った場合は、上述した屈曲して連なる小さい面が多数点在する立体物として、角柱状の直線状に延びる角部のある外観を有する立体形状からなる立体物にすることが容易にできる。また、このような状態で組み立て作業を行った場合は、角柱状の立体形状からなる立体物の他にも、例えば箱状等のような直線状に延びる角部のある外観を有する立体形状からなる立体物にすることも容易にできる。
【００５７】
この他にも、立体物（例えば前掲の立体物１０１〜１０４）を組み立てる各組立て用シート１として図３に例示したようにシート本体２の各辺に湾曲状に窪んだ形状の切断加工部６を設けたものを採用した場合は、図８、図１０、図１１等に示すように、その切断加工部６の外形線により生じる外観や、切断加工部６の存在に起因して形成される隙間（接触し得ない部分）により生じる外観が新たに付加されて、装飾性に富んだ立体物を得ることができる。また、図８、図１０に例示した立体物１０１，１０３においては、組立て用シート１の接合を互いのシートが遠ざかるような状態で接合したり、あるいは組立て用シート１として上記切断加工部６を設けたものを適用することにより、隣り合う組立て用シート１どうしの間に立体物の内部空間とつながる種々の形状からなる隙間Ｓが存在する外観を有した立体物を得ることもできる。
【００５８】
このように組立て用シート１を複数枚用いて組み立てられた（中空構造の）立体物（例えば前掲の立体物１０１〜１０４など）は、その所有者の目的等に応じて任意に使用することができる。例えば、鑑賞用の置物として使用したり、照明用シェード（覆い、笠）として使用することができる。
【００５９】
この立体物を照明用シェードとして使用した場合、組立て用シート１がある程度の光を透過する透光性（半透光性）を有するものであるときには、その立体物の内部空間に配置した光源から発せられる光が、立体物を構成する複数枚の組立て用シート１どうしの接合部分等の重なり具合に応じて異なった明るさ（色合いを含む）や形状で透過して立体物の外部に漏れ出るようになり、幻想的な光の演出を得ることができる。また、この立体物を照明用シェードとして使用した場合、特に組立て用シート１が光を透過しない非透光性を有するものであるときには（上記半透光性を有する組立て用シートを適用した場合も含まれる）、上記した隙間Ｓから光がシート１を透過することなく直接的に漏れ出るようになり、これによっても幻想的な光の演出を得ることができる。
【００６０】
［実施の形態２］
図１２は、実施の形態２に係る立体物の組立て用シートの基本構成を示すものである。図１２ａはその組立て用シートを一方の面（片面）側から見たときの状態を示し、図１２ｂはその組立て用シートの他方の面（他面）側から見たときの状態を示している。
【００６１】
＜組立て用シート＞
実施の形態２に係る組立て用シート１０は、図１２に示すように、実施の形態１に係る組立て用シート１において更に、シート本体２の各辺に、その各辺の３／４の長さの地点（ｒ１〜ｒ４）から最初の他面切り込み溝４に達する垂線状の切れ目５Ａ〜５Ｄを設けた構成からなるものである。つまり、この組立て用シート１０は、実施の形態１に係る組立て用シート１に切れ目５を設けた点が相違するのみであり、それ以外の構成（シート本体２、片面切り込み溝３、他面切り込み溝４、切断加工部６など）が実施の形態１に係る組立て用シート１の各構成と共通するものである。このため、これ以降では、その共通する構成については同じ符号を付すとともに、必要な場合を除いてその説明を省略する。
【００６２】
上記切れ目５Ａ〜５Ｄは、シート本体２の４つの辺における３／４の長さの各地点（ｒ１〜ｒ４）をそれぞれ起点として内側に向かう垂線のうち最初に存在する他面切り込み溝４（対角線）に到達する部分に沿ってシート本体２の一部分を直線状に切断した加工部分である。各切れ目５Ａ〜５Ｄの切れ込み長さはいずれも同じ寸法である。この切れ目５は、組立て用シート１０を複数用いて立体物を組み立てるときに、例えば繋げる予定の組立て用シート１０どうしを互いに必要な切れ目５どうしを挿し込んで連結するために使用される。
【００６３】
この組立て用シート１０においても、図１３に例示するように、必要に応じてシート本体２の辺（２１〜２４）及び角部の一方又は双方に、その辺及び角部の一部を切り取った切断加工部６が設けてもよい。図１３に示す組立て用シート１０では、４つの角部と４つの辺２１〜２４に切断加工部６Ｂ〜６Ｄをそれぞれ設けている。詳しくは、４つの角部に設けた切断加工部６Ｂはいずれも、シート本体２の本来の直角形状からなる角部をアール状に丸みを持たせた角部にするため円弧状の曲線で切り取った加工部分である。また、４つの辺に設けた一方の切断加工部６Ｃはいずれも、各辺の中点（ｐ１〜ｐ４）を中心にしてＶ字状の窪みとなるように切り取った加工部分である。さらに、４つの辺に設けた他方の切断加工部６Ｄは、その各辺に設けた各切れ目５Ａ〜５Ｄの開始部分に達する斜線で切り取った加工部分である。
【００６４】
このような構成からなる組立て用シート１０は、実施の形態１に係る組立て用シート１の場合と同様に、１枚の組立て用シート１０においてシート本体２が、片面切り込み溝３と他面切り込み溝４をきっかけに屈曲して細分化された複数の面（２Ａａ〜２Ａｈ／２Ｂａ〜２Ｂｈ：図４と図５を参照）を有する状態に変形させやすいという特性を有する。また、この組立て用シート１０においては、切れ目５Ａ〜５Ｄを設けていることにより、その各切れ目５Ａ〜５Ｄと他面切り込み溝４（対角線）とに挟まれる４つのシート本体の一部２Ａｘ（図１３）を、他面切り込み溝４をきっかけに屈曲させた状態にすることも可能である。
【００６５】
そして、この組立て用シート１０は、立体物を組み立てるときには、その立体物の組み立てに必要となる複数枚の組立て用シート１０を使用（用意）し、図１４に例示するように、その各組立て用シート１０における切れ目５Ａ〜５Ｄの少なくとも２つを互いに挿し込んで連結させた状態を組み合わせることにより立体形状の組み立てを行うことになる。
【００６６】
ここで、立体物を組み立てるために用いる複数枚の組立て用シート１０は、組み立て作業がしやすくなる等の観点から、実施の形態１に係る組立て用シート１の場合と同様に、そのすべてが互いに同じ寸法で構成されたものにすることが好ましい。なお、図１４に例示する組立て用シート１０には、図１３に例示した切断加工部６Ｂ〜６Ｄを設けたタイプの組立て用シート１０を採用している。
【００６７】
図１４に示す例は、３枚の組立て用シート１０（１０Ａ，１０Ｂ，１０Ｃ）をそのシート本体の片面２Ａが表側になる状態で一列状に連結させている場合の一例である、この例では、第１の組立て用シート１０Ａと第２の組立て用シート１０Ｂとを、第１の組立て用シート１０Ａの図中における右側下方位置にある切れ目５Ｂと第２の組立て用シート１０Ｂの図中における左側上方位置にある切れ目５Ｄを互いに挿し込むことで連結している。また、第２の組立て用シート１０Ｂと第３の組立て用シート１０Ｃとを、第２の組立て用シート１０Ｂの図中における右側下方位置にある切れ目５Ｂと第３の組立て用シート１０Ｃの図中における左側上方位置にある切れ目５Ｄを互いに挿し込むことで連結している。この例で示されるように、立体物を組み立てるに際には中間に配置される第２の組立て用シート１０Ｂのように４つある切れ目５Ａ〜５Ｄのうち２つの切れ目（５Ｂ，５Ｄ）を隣り合う組立てシート１０Ａ，１０Ｃの各切れ目（５Ｄ，５Ｂ）と挿し込んで連結すればよい。なお、第１の組立て用シート１０Ａと第３の組立て用シート１０Ｃのように組み立てた立体部の端部に配置される組立て用シート１０は、例外として、その４つある切れ目５Ａ〜５Ｄのうち１つの切れ目（５Ｄ又は５Ｂ）を繋げる対象の組立て用シート１０の切り目５に挿し込んで連結すればよい。
【００６８】
このように複数枚の組立て用シート１０をその互いの切れ目５を挿し込んで連結することで立体物を組み立てる場合には、実施の形態１に係る組立て用シート１による組み立ての時のような接着剤、粘着テープ等の接合手段を用いることなく、互いの組立て用シート１０を連結させて立体物を組み立てることが可能である。また、このように複数枚の組立て用シート１０を切れ目５の挿し込みで連結させて立体物を組み立てる場合においても、必要に応じて、その連結した複数枚の組立て用シート１０のシート本体２を片面切り込み溝３や他面切り込み溝４に沿って例えば折り曲げることも可能である。
【００６９】
＜立体物＞
そして、実施の形態２に係る組立て用シート１０は、上述したように複数枚の組立て用シート１０の各組立て用シート１０における切れ目５Ａ〜５Ｄの少なくとも２つを互いに挿し込んで連結させて立体物の組み立て作業を行う際に、その複数枚の組立て用シート１０の連結の仕方を種々選択することにより多様な立体形状からなる立体物を組み立てることが可能である。図１５から図１８は、その立体物の代表的な一例を示すものである。
【００７０】
図１５は、全体がほぼ球状の立体形状からなる立体物１１０の一例を示している。この立体物１１０は、複数枚の組立て用シート１０（例えば１０Ａ〜１０Ｊ）を、図１４に例示したようにその各組立て用シート１０（１０Ａ〜１０Ｊ）におけるシート本体の片面２Ａが表側（外部側）に向く状態で切れ目５の挿し込みにより連結させることで組み立てられている。
【００７１】
すなわち、この立体物１１０は、例えば、第１の組立て用シート１０Ａが、その左右に隣り合って配置する第２の組立て用シート１０Ｂ及び第３の組立て用シート１０Ｃに対して、例えば第１の組立て用シート１０Ａの切れ目５Ｂ，５Ｄを第２の組立て用シート１０Ｂ及び第３の組立て用シート１０Ｃの切り目５Ｄ，５Ｂに挿し込むことにより連結している。第２の組立て用シート１０Ｂと第３の組立て用シート１０Ｃについては、その第１の組立て用シート１０Ａと連結する側とは反対側の端部において第４の組立て用シート１０Ｄと第５の組立て用シート１０Ｅに対して、所要の切れ目５どうしを互いに挿し込んで連結している。また、この立体物１１０は、第６の組立て用シート１０Ｆが、その下方側において第２の組立て用シート１０Ｂに対して、切れ目５Ｂと切れ目５Ｄとの挿し込みにより連結しているとともに、その上方側において第７の組立て用シート１０Ｇ（第９の組立て用シート１０Ｊの真下にほぼ重なって隠れている）に対して、切れ目５Ｄと切れ目５Ｂとの挿し込みにより連結している。さらに、この立体物１１０は、第８の組立て用シート１０Ｈが、その下方側において第３の組立て用シート１０Ｃに対して、切れ目５Ｃと切れ目５Ａとの挿し込みにより連結しているとともに、その上方側において第９の組立て用シート１０Ｊに対して、切れ目５Ａと切れ目５Ｃとの挿し込みにより連結している。なお、この立体物１１０は、図１５における下方に位置する下部が、組立て用シート１０で完全に塞がれておらず開口した状態になっている（図１６ａの立体物１１２の下部の状態を参照）。
【００７２】
図１５に例示するようなほぼ球状の立体形状からなる立体物１１０は、例えば、次のような組み立て方法を採用することにより容易に組み立てることができる。
【００７３】
初めに、図１６ａに例示するように、円環状の立体形状からなる立体物１１２を組み立てる。つまり、円環状の立体物１１２は、組立て対象の球状の立体物１１０の大きさに適合する枚数の組立て用シート１０Ａ〜１０Ｆ，１０Ｘを用い、その各組立て用シート１０における左右に隣り合う所定の切れ目５どうしを互いに挿し込んで連結させることにより組み立てられる。なお、組立て用シート１０Ｘは、立体物１１２を組み立てるために必要な枚数の残りの枚数の組立て用シートである。図１６においては、この組立て用シート１０Ｘについては、立体物１１２全体の見やすさを優先して便宜上、その組立て用シート１０Ｘの内側に現れる各外形線などの図示を省略している。
【００７４】
ちなみに、この図１６ａでは、１周（１段）の円環状の立体物１１２を例示しているが、例えば、組立て対象の球状の立体物１１０の大型（大径）になる場合には、その１段の円環状の立体物１１２の上部及び下部の少なくとも一方に追加の円環状の立体物（１１２）を切れ目５の挿し込みにより連結して追加することにより、複数段に積層された形態からなる円環状の立体物を用意すればよい。
【００７５】
次に、図１６ｂに例示するように、円環状の立体物１１２の上部又は下部の開口部を埋めるためにアーチ状の立体形状からなる立体物１１３を組み立てる。このアーチ状の立体物１１３は、組立て対象の球状の立体物１１０の大きさに適合する枚数の組立て用シート１０Ｇ〜１０Ｌ等を用い、上述した円環状の立体物１１２を組み立てる作業を、その途中まで同様に行うことで両端部が自由端となる立体形状として組み立てられる。このアーチ状の立体物１１３は、円環状の立体物１１２の上部又は下部の開口部を埋めるために必要な数だけ用意される。
【００７６】
そして、球状の立体部１１０は、このアーチ状の立体物１１３を、その自由端となる両端部を円環状の立体物１１２の所定の部分にそれぞれ連結して取り付ける。アーチ状の立体物１１３は、円環状の立体物１１２の上部又は下部の開口部を埋めるために必要な数だけ円環状の立体物１１２の所定の部分に円周方向に少しずつ位置をずらしながら取り付ける。これにより、円環状の立体物１１２とアーチ状の立体物１１３とで構成される球状の立体部１１０を完成させることができる。図１６ｂに示すアーチ状の立体物１１３は、その一端部における組立て用シート１０Ｇを、円環状の立体物１１２を構成する組立て用シート１０Ａに対して、切れ目５Ｃと切れ目５Ａの挿し込みにより連結することで取り付けられている。
【００７７】
図１７は、全体がほぼ筒状の立体形状からなる立体物１１５の一例を示している。この立体物１１５は、複数枚の組立て用シート１０を、図１４に例示したようにその各組立て用シート１０におけるシート本体の片面２Ａが表側に向く状態で切れ目５の挿し込みにより連結させることで組み立てられている。
【００７８】
すなわち、この立体物１１５は、底面部付きの筒形状にする場合であれば、例えば、その底面部に配置する第１の組立て用シート１０から上方に向けて複数の組立て用シート１０Ｂ〜１０Ｆを所定の切れ目５の挿し込みにより縦一列状に連結させた部分を作成し、その左右の周囲側に同様に縦一列状に連結させた部分を所定の切れ目５の挿し込みにより互いに連結させることにより、底面部付きの筒状の立体物として組み立てることができる。なお、この立体物１１５は、図１７における上端部及び下端部が、組立て用シート１０で塞がれておらず開口した状態になっている（必要に応じて上端部のみを開口した状態に構成してもよい）。図１７において符号１７Ｙで示す組立て用シートは、立体物１１５の後方側に配置される複数枚の組立て用シートである。図１７においては、この組立て用シート１０Ｙについては、立体物１１５全体の見やすさを優先して便宜上、その組立て用シート１０Ｙの内側に現れる各外形線などの図示を省略している。
【００７９】
図１８は、全体がほぼ四角形の環状（枠状）の立体形状からなる立体物１１６の一例を示している。この立体物１１６は、複数枚の組立て用シート１０（１０Ａ〜１０Ｆ、０１Ｚ）をその各組立て用シート１０におけるシート本体の他面２Ｂが表側に向く状態で切れ目５の挿し込みにより連結させることで組み立てられている。
【００８０】
この立体物１１６は、例えば、複数枚のうちの一部の組立て用シート１０（１０Ａ〜１０Ｆ）を図１４に示すように各シート本体の片面２Ａが表側に向く状態で切れ目５の挿し込みにより連結させた後、組立て対象の四角形環状の立体物１１６の大きさ等に適合した位置で所定の組立て用シート１０Ｃ，１０Ｆを他面切り込み溝４（４ａ）に沿ってシート本体の他面２Ｂが表側に向くようにほぼ直角に折り曲げた状態にする。しかる後、その自由端となる端部に対して、四角形環状の立体物１１６の組み立てに必要な残り枚数の組立て用シート１０Ｚを切れ目５の挿し込みにより連結させて全体を環状に繋げることで組み立てられる。図１８においては、この組立て用シート１０Ｚについては、立体物１１６全体の見やすさを優先して便宜上、その組立て用シート１０Ｚの内側に現れる各外形線などの図示を一部省略している。
【００８１】
以上例示したように、実施の形態２に係る複数枚の組立て用シート１０を用いて、その各組立て用シート１０における切れ目５を挿し込んで連結させることにより立体物の組み立て作業を行った場合には、実施の形態１に係る組立て用シート１の場合と同様に、前述したごとく１枚の組立て用シート１０のシート本体２を片面切り込み溝３と他面切り込み溝４をきっかけにして屈曲させて細分化された面（２Ａａ〜２Ａｈ）を有する状態に変形させることができるので（図４参照）、屈曲して連なる小さい面（２Ａａ〜２Ａｈ：図４参照）が多数点在する立体物（例えば前掲の立体物１１０，１１２，１１３，１１５，１１６）を得ることができる。また、この立体物についても、実施の形態１に係る立体物の場合とほぼ同様に、複数枚の組立て用シート１０がある程度規則性を持って整然と配置されるので独特な美観が得られるものになる。
【００８２】
また、図１５〜図１７に例示したように、実施の形態２に係る複数枚の組立て用シート１０のすべてをシート本体の片面２Ａが立体形状の表側（外部側）に向く状態にして組み立て作業を行った場合は、実施の形態１の場合とほぼ同様に、上述した屈曲して連なる小さい面が多数点在する立体物として、面球状、円環状、アーチ状及び筒状の比較的緩やかな曲面の外観を有する立体形状からなる立体物にすることが容易にできる。また、このような状態で組み立て作業を行った場合は、それらの立体形状からなる立体物の他にも、例えば紡錘状、螺旋状等のように比較的緩やかな曲面の外観を有する立体形状からなる立体物にすることも容易にできる。
【００８３】
さらに、図１８に例示したように、実施の形態２に係る複数枚の組立て用シート１０のすべてをシート本体の他面２Ｂが立体形状の表側に向く状態にして組み立て作業を行った場合は、実施の形態１の場合とほぼ同様に、上述した屈曲して連なる小さい面が多数点在する立体物として、四角形の環状のような直線状に延びる角部のある外観を有する立体形状からなる立体物にすることが容易にできる。また、このような状態で組み立て作業を行った場合は、四角形の環状の立体形状からなる立体物の他にも、例えば箱状等のような直線状に延びる角部のある外観を有する立体形状からなる立体物にすることも容易にできる。
【００８４】
この他にも、立体物（例えば前掲の立体物１１０、１１５など）を組み立てる各組立て用シート１０として、図１３に例示したようにシート本体２の各辺及び角部に所望の形状からなる切断加工部６（６Ｂ〜６Ｄ）を設けたものを採用した場合は、図１５〜図１８に示すように、その切断加工部６の外形線により生じる外観や、切断加工部６の存在に起因して形成される隙間（接触し得ない部分）により生じる外観が新たに付加されて、装飾性に富んだ立体物を得ることができる。また、図１５や図１７に例示した立体物１１０，１１５においては、隣り合う組立て用シート１０どうしを互いのシートが遠ざかるような状態で配置したり、あるいは組立て用シート１０として上記切断加工部６を設けたものを適用することにより、隣り合う組立て用シート１０どうしの間に立体物の内部空間とつながる種々の形状からなる隙間Ｓが存在する外観を有した立体物を得ることもできる。
【００８５】
このように組立て用シート１０を複数枚用いて組み立てられた（中空構造の）立体物（例えば前掲の立体物１１０，１１２，１１５，１１６など）は、実施の形態１に係る立体物の場合と同様に、その所有者の目的等に応じて任意に使用することができる。例えば、鑑賞用の置物として使用したり、照明用シェードとして使用することができる。また、この立体物を照明用シェードとして使用した場合には、実施の形態１に係る立体物のときとほぼ同様に、幻想的な光の演出を得ることができる。
【００８６】
［他の実施の形態］
実施の形態１に係る組立て用シート１や実施の形態２に係る組立て用シート１０は、その同一の寸法で構成した各組立て用シート１，１０をそれぞれ複数枚用意して袋詰め等にまとめた状態にし、それらを別々の立体物組立て用キットとして販売することが可能である。この各立体物組立て用キットを購入した者は、その各キットに含まれる複数枚の組立て用シート１又は組立て用シート１０を自由に接合又は連結させて所望の（独自の）立体物を組み立てて楽しむことができる。また、購入者は、その組み立てた立体物を例えば鑑賞用の置物や照明用シェード等の任意の用途で使うことができ、有効に利用することもできる。
【００８７】
この場合、各立体物組立て用キットは、その各キットにそれぞれ含ませる各組立て用シート１，１０の枚数について、例えば立体物を組み立てるために必要な或る一定以上の枚数に設定される。また、この各立体物組立て用キットについては、その各キットで使用する組立て用シート１又は組立て用シート１０をそれぞれ後から自由に追加して購入できるような販売体制を構築しておけばよい。さらに、実施の形態１に係る組立て用シート１の立体物組立て用キットについては、例えば、その組み立て作業に際して各組立て用シート１の接合に必要な接着剤等の接合手段をキット内に付属品等として含めるように構成してもよい。
【００８８】
また、実施の形態１，２に係る組立て用シート１，１０のシート本体２は、その材質（シート断面構造を含む）、寸法（厚さや面積など）、色、透光性、面状態等の条件について特に限定されるものでない。このシート本体２としては、シート本体２の形状の保持やシート本体２に設ける各切り込み溝３，４や切れ目５の基本機能を損ねない程度に、例えば、所要の形状からなる開口（貫通穴）等を設けたシート材を適用してもよい。
【００８９】
さらに、実施の形態１に係る組立て用シート１を複数枚用いて組み立てられる立体物や実施の形態２に係る組立て用シート１０を複数枚用いて組み立てられる立体物は、実施の形態１，２で例示した各立体物（１０１〜１０４，１１０，１１２，１１５，１１６）の種類や形態に何ら限定されるものでなく、例えば組み立てる者の自由な発想と試行錯誤などにより種々の立体物にすることができる。
【符号の説明】
【００９０】
１，１０…組立て用シート
２  …シート本体
２Ａ…片面
２Ｂ…他面
３  …片面切り込み溝
４  …他面切り込み溝
５  …切れ目
６  …切断加工部
１０１〜１０４，１１０，１１２，１１５，１１６…立体物
ｐ１〜ｐ４…各辺の中点
ｒ１〜ｒ４…各辺の３／４の長さの地点
【図１】
2015053974.tif 000003
【図２】
2015053974.tif 000004
【図３】
2015053974.tif 000005
【図４】
2015053974.tif 000006
【図５】
2015053974.tif 000007
【図６】
2015053974.tif 000008
【図７】
2015053974.tif 000009
【図８】
2015053974.tif 000010
【図９】
2015053974.tif 000011
【図１０】
2015053974.tif 000012
【図１１】
2015053974.tif 000013
【図１２】
2015053974.tif 000014
【図１３】
2015053974.tif 000015
【図１４】
2015053974.tif 000016
【図１５】
2015053974.tif 000017
【図１６】
2015053974.tif 000018
【図１７】
2015053974.tif 000019
【図１８】
2015053974.tif 000020